【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群、負の屈折力の第３レンズ群、正の屈折力の第４レンズ群、正の屈折力の第５レンズ群を有し、ズーミングに際して隣り合うレンズ群の間隔が変化するように、広角端において軸上最大光束径を決定している開口部よりも像側に配置されている少なくとも２つのレンズ群を含む少なくとも４つのレンズ群がズーミングに際して移動するズームレンズにおいて、
前記少なくとも４つのレンズ群のうち互いに隣接するレンズ群Ｃ１とレンズ群Ｃ２は、広角端と望遠端以外のズーム位置において前記レンズ群Ｃ１と前記レンズ群Ｃ２の間隔が最大となり、広角端に比べて望遠端において同じ方向へ移動するように、ズーミングに際して互いに異なる軌跡で移動し、
前記開口部よりも像側に配置された少なくとも２つのレンズ群のうち互いに隣接するレンズ群Ｄ１とレンズ群Ｄ２の間隔が広角端に比べて望遠端において広くなるように、前記レンズ群Ｄ１と前記レンズ群Ｄ２の少なくとも一方は、広角端に比べて望遠端において物体側へ移動することを特徴とするズームレンズ。
【請求項２】
前記レンズ群Ｄ１とレンズ群Ｄ２のうち一方のレンズ群は、最も像側に配置されていることを特徴とする請求項１に記載のズームレンズ。
【請求項３】
広角端から望遠端へのズーミングに際して、前記第１レンズ群は不動であり、前記第２レンズ群は像側へ移動し、前記第３レンズ群と前記第４レンズ群は物体側に凸状の軌跡で、広角端に比べて望遠端において物体側に位置するように移動し、前記第５レンズ群は広角端での位置を基準としたときに望遠端で物体側に位置するように移動し、前記開口部は、前記第４レンズ群よりも物体側に配置されており、前記レンズ群Ｃ１は前記第３レンズ群に対応し、前記レンズ群Ｃ２と前記レンズ群Ｄ１は前記第４レンズ群に対応し、前記レンズ群Ｄ２は前記第５レンズ群に対応することを特徴とする請求項１又は２に記載のズームレンズ。
【請求項４】
前記第５レンズ群の像側に、正の屈折力の第６レンズ群を有し、広角端から望遠端へのズーミングに際して、前記第１レンズ群は不動であり、前記第２レンズ群は像側へ移動し、前記第３レンズ群と前記第４レンズ群は物体側に凸状の軌跡で、広角端に比べて望遠端において物体側に位置するように移動し、前記第５レンズ群は広角端での位置を基準としたときに望遠端において物体側に位置するように移動し、前記第６レンズ群は前記第５レンズ群との間隔を変化させながら移動し、前記開口部は前記第４レンズ群よりも物体側に配置されており、前記レンズ群Ｃ１は前記第３レンズ群に対応し、前記レンズ群Ｃ２は前記第４レンズ群に対応し、前記レンズ群Ｄ１は前記第５レンズ群に対応し、前記レンズ群Ｄ２は前記第６レンズ群に対応することを特徴とする請求項１又は２に記載のズームレンズ。
【請求項５】
広角端から望遠端までのズーミングにおける前記レンズ群Ｄ１の移動量をＭＤ１、広角端から望遠端までのズーミングにおける前記レンズ群Ｄ２の最大移動量をＭＤ２、広角端から望遠端までのズーミングに際しての移動量が最大のレンズ群の移動量をＭ２とするとき、
１．２＜│ＭＤ１／ＭＤ２│＜２０．０
０．０２＜│ＭＤ１／Ｍ２│＜０．５０
なる条件式を満足することを特徴とする請求項１乃至４のいずれか１項に記載のズームレンズ。
【請求項６】
ズーミング中における前記レンズ群Ｃ１と前記レンズ群Ｃ２の間隔の最大値をＭａｘＣ１２、広角端における前記レンズ群Ｃ１と前記レンズ群Ｃ２の間隔をＣ１２ｗ、望遠端における前記レンズ群Ｃ１と前記レンズ群Ｃ２の間隔をＣ１２ｔ、広角端から望遠端までのズーミングにおける前記レンズ群Ｃ１の移動量をＭＣ１、広角端から望遠端までのズーミングにおける前記レンズ群Ｃ２の移動量をＭＣ２、広角端から望遠端までのズーミングにおいて移動量が最大のレンズ群の移動量をＭ２とするとき、
０．０５＜│ＭａｘＣ１２／（Ｍ２×Ｃ１２ｗ／Ｃ１２ｔ）│＜０．５０
０．０１０＜│ＭＣ１／Ｍ２│＜０．２００
０．０１０＜│ＭＣ２／Ｍ２│＜０．２００
なる条件式を満足することを特徴とする請求項１乃至５のいずれか１項に記載のズームレンズ。
【請求項７】
前記レンズ群Ｃ１の屈折力をφＣ１、広角端における前記レンズ群Ｃ１と前記レンズ群Ｃ２の合成屈折力をφＣ１２とするとき、
０．８＜│φＣ１／φＣ１２│＜３．０
なる条件式を満足することを特徴とする請求項１乃至６のいずれか１項に記載のズームレンズ。
【請求項８】
ズーミングに際して移動する前記少なくとも４つのレンズ群のうち少なくとも１つのレンズ群は、広角端から望遠端へのズーミングに際して減倍作用をすることを特徴とする請求項１乃至７のいずれか１項に記載のズームレンズ。
【請求項９】
広角端から望遠端へのズーミングに際して、最も大きな減倍作用を有するレンズ群の広角端と望遠端における横倍率を各々βｗｄ、βＴｄ、広角端における前記レンズ群Ｃ１の横倍率をβｗＣ１、広角端における前記レンズ群Ｃ２の横倍率をβｗＣ２、広角端における前記レンズ群Ｄ１の横倍率をβｗＤ１、広角端における前記レンズ群Ｄ２の横倍率をβｗＤ２、望遠端における前記レンズ群Ｃ１の横倍率をβＴＣ１、望遠端における前記レンズ群Ｃ２の横倍率をβＴＣ２、望遠端における前記レンズ群Ｄ１の横倍率をβＴＤ１、望遠端における前記レンズ群Ｄ２の横倍率をβＴＤ２、前記ズームレンズのズーム比をＺとするとき、
０．００＜│βＴｄ／（βｗｄ×Ｚ）│＜０．２０
０．０５＜│βＴＣ１／（βｗＣ１×Ｚ）│＜０．５０
０．０５＜│βＴＣ２／（βｗＣ２×Ｚ）│
０．００＜│βＴＤ１／（βｗＤ１×Ｚ）│＜０．５０
０．００＜│βＴＤ２／（βｗＤ２×Ｚ）│＜０．５０
なる条件式を満足することを特徴とする請求項１乃至８のいずれか１項に記載のズームレンズ。
【請求項１０】
請求項１乃至９のいずれか１項に記載のズームレンズと、該ズームレンズによって形成された像を受光する固体撮像素子とを有することを特徴とする撮像装置。
【手続補正２】
【補正対象書類名】明細書
【補正対象項目名】０００９
【補正方法】変更
【補正の内容】
【０００９】
本発明のズームレンズは、物体側から像側へ順に、正の屈折力の第１レンズ群、負の屈折力の第２レンズ群、負の屈折力の第３レンズ群、正の屈折力の第４レンズ群、正の屈折力の第５レンズ群を有し、ズーミングに際して隣り合うレンズ群の間隔が変化するように、広角端において軸上最大光束径を決定している開口部よりも像側に配置されている少なくとも２つのレンズ群を含む少なくとも４つのレンズ群がズーミングに際して移動するズームレンズにおいて、
前記少なくとも４つのレンズ群のうち互いに隣接するレンズ群Ｃ１とレンズ群Ｃ２は、広角端と望遠端以外のズーム位置において前記レンズ群Ｃ１と前記レンズ群Ｃ２の間隔が最大となり、広角端に比べて望遠端において同じ方向へ移動するように、ズーミングに際して互いに異なる軌跡で移動し、
前記開口部よりも像側に配置された少なくとも２つのレンズ群のうち互いに隣接するレンズ群Ｄ１とレンズ群Ｄ２の間隔が広角端に比べて望遠端において広くなるように、前記レンズ群Ｄ１と前記レンズ群Ｄ２の少なくとも一方は、広角端に比べて望遠端において物体側へ移動することを特徴としている。
【手続補正３】
【補正対象書類名】明細書
【補正対象項目名】００１３
【補正方法】変更
【補正の内容】
【００１３】
本発明のズームレンズの具体的なレンズ構成は次のとおりである。物体側から像側へ順に、正の屈折力の第１レンズ群、負の屈折力の第２レンズ群、負の屈折力の第３レンズ群、正の屈折力の第４レンズ群、正の屈折力の第５レンズ群とを有する。ズーミングに際して隣り合うレンズ群の間隔が変化するように少なくとも４つのレンズ群が移動する。このときの少なくとも４つのレンズ群には広角端において軸上最大光束径を決定している開口部ＳＰよりも像側のレンズ群が含まれる。また少なくとも２つのレンズ群が含まれる。また少なくとも４つのレンズ群のうち、互いに隣接する２つのレンズ群をレンズ群Ｃ１、レンズ群Ｃ２とする。
【手続補正４】
【補正対象書類名】明細書
【補正対象項目名】００１４
【補正方法】変更
【補正の内容】
【００１４】
このときレンズ群Ｃ１とレンズ群Ｃ２は、広角端と望遠端以外のズーム位置においてレンズ群Ｃ１とレンズ群Ｃ２の間隔が最大となり、広角端に比べて望遠端において同じ方向へ移動するようにズーミングに際して互いに異なる軌跡で移動する。開口部よりも像側に配置された少なくとも２つのレンズ群のうち互いに隣接するレンズ群をレンズ群Ｄ１、レンズ群Ｄ２とする。
【手続補正５】
【補正対象書類名】明細書
【補正対象項目名】００１５
【補正方法】変更
【補正の内容】
【００１５】
このときレンズ群Ｄ１とレンズ群Ｄ２の間隔が広角端に比べて望遠端において広くなるようにレンズ群Ｄ１とレンズ群Ｄ２の少なくとも一方は広角端に比べて望遠端において物体側へ移動する。
【手続補正６】
【補正対象書類名】明細書
【補正対象項目名】００５３
【補正方法】変更
【補正の内容】
【００５３】
広角端から望遠端までのズーミングにおいて各レンズ群の移動量が最大のレンズ群の移
動量をＭ２とする。広角端から望遠端までのズーミングにおけるレンズ群Ｃ１の移動量を
ＭＣ１、広角端から望遠端までのズーミングにおけるレンズ群Ｃ２の移動量をＭＣ２とす
る。
【手続補正７】
【補正対象書類名】明細書
【補正対象項目名】００５４
【補正方法】変更
【補正の内容】
【００５４】
広角端におけるレンズ群Ｃ１とレンズ群Ｃ２の間隔をＣ１２ｗとする。望遠端におけるレンズ群Ｃ１とレンズ群Ｃ２の間隔をＣ１２ｔとする。ズーミングに際してのレンズ群Ｃ１とレンズ群Ｃ２の間隔の最大値をＭａｘＣ１２とする。レンズ群Ｃ１の屈折力をφＣ１とする。レンズ群Ｃ１とレンズ群Ｃ２の合成屈折力をφＣ１２とする。広角端から望遠端へのズーミングに際して最も大きな減倍作用をするレンズ群の広角端と望遠端における横倍率を各々βｗｄ、βＴｄとする。
【手続補正８】
【補正対象書類名】明細書
【補正対象項目名】００６１
【補正方法】変更
【補正の内容】
【００６１】
条件式（３）はズーミングに際してのレンズ群Ｃ１とレンズ群Ｃ２の間隔の最大値に関する。条件式（３）の上限値を上回ると、広角端と望遠端以外でのズーム位置でレンズ群Ｃ１とレンズ群Ｃ２の間隔が広くなりすぎる。もしくはレンズ群Ｃ１とレンズ群Ｃ２の間隔が広角端に比べて望遠端において広くなりすぎることになる。広角端と望遠端以外でのズーム位置でレンズ群Ｃ１とレンズ群Ｃ２の間隔が広くなりすぎると、ズーミング中に前後のレンズ群と干渉しないようにレンズ群Ｃ１とレンズ群Ｃ２の前後の間隔を広く取る必要があり、この結果、全系が大型化してくる。
【手続補正９】
【補正対象書類名】明細書
【補正対象項目名】００６３
【補正方法】変更
【補正の内容】
【００６３】
一方、条件式（３）の下限値を下回ると、ズーミング中におけるレンズ群Ｃ１とレンズ群Ｃ２の間隔の変化が少なくなる、もしくはレンズ群Ｃ１とレンズ群Ｃ２の間隔が望遠端に比べて広角端において広くなりすぎることになる。レンズ群Ｃ１とレンズ群Ｃ２の間隔の変化が少なくなるとズーミング中における光線の経路変化が少なくなり、レンズ群Ｃ１とレンズ群Ｃ２のレンズ群間において球面収差と像面湾曲の補正効果が弱まる。
【手続補正１０】
【補正対象書類名】明細書
【補正対象項目名】００６４
【補正方法】変更
【補正の内容】
【００６４】
またレンズ群Ｃ１とレンズ群Ｃ２の間隔が望遠端に比べて広角端において広くなりすぎると、レンズ群Ｃ１とレンズ群Ｃ２のレンズ間において広角端と望遠端における収差補正のバランスが大きくずれてしまう。そうすると広角端と望遠端において球面収差と像面湾曲をバランス良く補正するのが困難になる。
【手続補正１１】
【補正対象書類名】明細書
【補正対象項目名】００６６
【補正方法】変更
【補正の内容】
【００６６】
条件式（４）や条件式（５）の上限値を上回ると、広角端から望遠端へのズーミングに際してのレンズ群Ｃ１やレンズ群Ｃ２の移動量が大きくなりすぎる。そうなると広角端や望遠端において前後のレンズ群と干渉しないようにレンズ群Ｃ１やレンズ群Ｃ２の前後の間隔を広く取る必要があり、全系が大型化してくる。一方、条件式（４）や条件式（５）の下限値を下回ると、広角端から望遠端へのズーミングに際してのレンズ群Ｃ１やレンズ群Ｃ２の移動量が小さくなりすぎる。